(57)【特許請求の範囲】
【請求項１】
容器の口部に固定される固定筒と、容器の口部上端に配置されるとともに固定筒に一体に設けられた天壁部と、当該天壁部から一体に起立してその内側に容器に通じる通路を形成する筒体部とを備える注出キャップであって、
前記筒体部の先端側に形成された開口部を、内容物の注出口と、空気置換孔とに仕切る仕切壁を設けるとともに、
前記注出口を密封する取り外し可能な封止栓と、前記空気置換孔を密封する取り外し可能な封止栓とを有し、当該封止栓をそれぞれ、操作片を備えるリブを介して一体に連結した開封部材が設けられており、
前記リブの先端部を前記筒体部の内周面と接触して、当該筒体部を押し広げつつ案内する曲面で構成したことを特徴とする注出キャップ。
【請求項２】
請求項１において、前記仕切壁は、前記筒体部に段差を形成するものであって、当該段差に、前記空気置換孔を配置したことを特徴とする注出キャップ。
【請求項３】
請求項２において、前記開封部材は、前記仕切壁を挟んで掛け渡されるように前記リブが設けられたものであることを特徴とする注出キャップ。
【請求項４】
請求項１乃至３のいずれか１項において、前記天壁部は、筒体部から放射状に伸びる凸部又は凹部を備えることを特徴とする注出キャップ。
【請求項５】
請求項１乃至４のいずれか１項において、前記注出口は、前記筒体部の端面が前記空気置換孔から当該筒体部の先端に向かって傾斜する傾斜面を形成することを特徴とする注出キャップ。
【発明の詳細な説明】
【技術分野】
【０００１】
本発明は、例えば、一方の容器に充填された内容物を他方の容器に詰め替える際に用いられる注出キャップに関するものである。
【背景技術】
【０００２】
詰め替えを行う手段としては、例えば、他の容器の口部に挿入される挿入口部を有し、この挿入口部の上部に切断可能な薄肉部を介してもぎり栓を設けるとともに、当該挿入口部を倒立させて他の容器口部に挿入したとき、当該倒立状態が維持されるように、口部内周面に弾性圧接する羽根部を設けたものがある（例えば、特許文献１参照）。
【先行技術文献】
【特許文献】
【０００３】
【特許文献１】特願２０１０−１２６２２０号公報
【発明の概要】
【発明が解決しようとする課題】
【０００４】
しかしながら、上述した従来のものは、筒体部の内側に形成された通路を通して内容物を取り出すときに、当該通路内での空気置換を行うことができない。このため、内容物を取り出すときに、内容物が大きく脈動することで吹き零れが生じ易くなる。
【０００５】
また、内容物を取り出すまでは、その未開封状態が維持されることが好ましいところ、その開封作業も容易であることが好ましい。
【０００６】
本発明の目的とするところは、筒体部の内側に形成された通路を通して内容物を取り出すときに、当該通路内での空気置換を容易に行うことができるとともに、注出口及び空気置換孔の開封が容易な新規の注出キャップを提供することにある。
【課題を解決するための手段】
【０００７】
本発明は、容器の口部に固定される固定筒と、容器の口部上端に配置されるとともに固定筒に一体に設けられた天壁部と、当該天壁部から一体に起立してその内側に容器に通じる通路を形成する筒体部とを備える注出キャップであって、
前記筒体部の先端側に形成された開口部を、内容物の注出口と、空気置換孔とに仕切る仕切壁を設けるとともに、
前記注出口を密封する取り外し可能な封止栓と、前記空気置換孔を密封する取り外し可能な封止栓とを有し、当該封止栓をそれぞれ、操作片を備えるリブを介して一体に連結した開封部材が設けられおり、
前記リブの先端部を前記筒体部の内周面と接触して、当該筒体部を押し広げつつ案内する曲面で構成したことを特徴とするものである。
【０００８】
前記仕切壁は、空気置換孔を注出口よりも後端側に配置することが好ましい。例えば、仕切壁は、前記筒体部に段差を形成するものであって、当該段差に、前記空気置換孔を配置したものであることが好ましい。この場合、前記開封部材は、前記仕切壁を挟んで掛け渡されるように前記リブが設けられたものであることが好ましい。
【０００９】
また、前記天壁部には、筒体部から放射状に伸びる凸部又は凹部を設けることができる。
【００１０】
更に、前記注出口は、前記筒体部の端面が前記空気置換孔から当該筒体部の先端に向かって傾斜する傾斜面を形成するものとすることができる。
【発明の効果】
【００１１】
本発明では、筒体部の先端側に形成された開口部を、内容物の注出口と、空気置換孔とに仕切る仕切壁を設けたことで、筒体部の内側に形成された通路を通して内容物を取り出すとき、当該通路内での空気置換を容易に行うことできる。このため、本発明によれば、容器を傾けて内容物を取り出すときは勿論、容器ごと倒立させた状態で内容物を取り出すときも、内容物が大きく脈動しないため、吹き零れも生じ難くなる。
【００１２】
加えて、開封部材は、注出口を密封する封止栓と、空気置換孔を密封する封止栓とを、操作片を備えるリブを介して一体に連結したものであることから、使用者が操作片を引っ張る等の操作を行うだけの簡単な操作により、注出口とともに空気置換孔を容易に開封することができる。
【００１３】
従って、本発明によれば、筒体部の内側に形成された通路を通して内容物を取り出すときに、当該通路内での空気置換を容易に行うことができるとともに、注出口及び空気置換孔の開封が容易な新規の注出キャップを提供することができる。
【図面の簡単な説明】
【００１４】
【図１】本発明である、注出キャップの一形態を採用した詰め替え容器を示す平面図である。
【図２】同形態に係る注出キャップを採用した詰め替え容器を、図１のＸ−Ｘ方向から一部断面で示す側面図である。
【図３】図２の要部拡大図であって、(a)は、同形態に係る注出キャップの未開封状態を、(b)は、同形態に係る密封部材の引き上げを開始した状態を、更に、(c)は、空気置換孔とともに注出口を開封した直後の状態を示す。
【図４】同形態に係る詰め替え容器を用いて本体容器に内容物を詰め替えるときの状態を一部断面で示す側面図である。
【図５】本発明の第２の形態に係る注出キャップを装着した詰め替え容器を用いて本体容器に内容物を詰め替えるときの状態を一部断面で示す側面図である。
【図６】本体容器の一例である、ポンプ容器を示す側面図である。
【発明を実施するための形態】
【００１５】
以下、図面を参照して、本発明の一形態である、注出キャップを詳細に説明する。
【００１６】
図中、符号１は、本発明の一形態であって、内容液Ｃが充填された詰め替え容器２０に適用される合成樹脂製の注出キャップである。注出キャップ１は、図２に示すように、詰め替え容器２０の口部（以下、「詰め替え容器側口部」）２１に固定される固定筒２と、詰め替え容器側口部２１上端に配置されるとともに固定筒２に一体に設けられた天壁部３と、この天壁部３から一体に起立する筒体部４とを備える。
【００１７】
筒体部４には、その先端側に形成された開口部を、当該筒体部４の先端側に配置される注出口Ａ1と、この注出口Ａ1よりも後端側に配置される空気置換孔Ａ2とに仕切る仕切壁４ａが設けられている。本形態では、仕切壁４ａは、筒体部４に段差４ｂを形成するものであって、この段差４ｂに、空気置換孔Ａ2が配置されている。また、天壁部３の裏面には、口部２１の内周面２１ｆを密封保持する筒状のシール部３ａが一体に垂下し、容器２０の充填空間Ｓ20を通路Ｒに通じさせる。
【００１８】
符号５は、注出口Ａ1を密封する封止栓５ａと、空気置換孔Ａ2を密封する封止栓５ｂとを有し、当該封止栓５ａ及び５ｂをそれぞれ、操作片５ｃを備えるリブ５ｄを介して一体に連結した開封部材である。リブ５ｄは、図示のように、仕切壁４ａを挟んで掛け渡されるように設けられている。
【００１９】
封止栓５ａは、その全周に亘って設けられた薄肉の連結片５ｅを介して筒体部４に一体に連結されている。これにより、封止栓５ａは、注出口Ａ1を密封するように筒体部４に一体に連結される。また、連結片５ｅは薄肉に形成されていることから、この連結片５ｅを切断することで、封止栓５ａを筒体部４から取り外すことができる。
【００２０】
封止栓５ｂは、仕切壁４ａよりも高い棒状部材であって、当該封止栓５ｂも、その全周に亘って設けられた薄肉の連結片５ｅを介して筒体部４に一体に連結されている。これにより、封止栓５ｂは、空気置換孔Ａ2を密封するように筒体部４に一体に連結される。また、連結片５ｅは薄肉に形成されていることから、この連結片５ｅを切断することで、封止栓５ｂを筒体部４から取り外すことができる。
【００２１】
また、リブ５ｄの先端部５ｄ1は、図示のように、その縦断面形状が外向きに突出する曲面で構成されているとともに、操作片５ｃが一体に設けられている。操作片５ｃは、図１に示すように、指を引っ掛けるための開口部を形成するリング状の部材としてなる。
【００２２】
ここで、本形態に係る注出キャップ１付き詰め替え容器２０を用いて、本体容器３０に内容液Ｃを詰め替える作業工程を説明する。
【００２３】
本形態では、使用者は先ず、図３(a)に示す状態から開封部材５の操作片５ｃの開口部に指を通し、次いで同(b)に示すように上向きに引き上げれば、開封部材５は、同図(c)に示すように、仕切壁４ａの先端４ａ1を基点に回転運動を行うことで、空気置換孔Ａ2を密封する封止栓５ｂをその引き上げにより取り外すことができるとともに、注出口Ａ1を密封する封止栓５ａをその押し下げにより取り外すことができる。
【００２４】
このとき、本形態では、リブ５ｄの先端部５ｄ1が図３(c)に示すように、筒体部４の内周面４ｆと接触して、当該筒体部４を押し広げつつ案内することで、筒体部４の内周面４ｆを傷付けることなく、連結片５ｅを容易に切断することができる。
【００２５】
注出口Ａ1とともに空気置換孔Ａ2を開封した後は、図４に示すように、本体容器３０の口部３１に筒体部４をあてがって容器２０ごと傾ければ、筒体部４の段差４ｂに形成された空気置換孔Ａ2を通して、通路Ｒ内での空気置換を行いつつ、当該通路Ｒを通して内容液Ｃを詰め替えることができる。
【００２６】
また、本発明によれば、詰め替え容器２０を倒立させた状態で、この筒体部４を本体容器３０の口部３１に挿し込んで、内容液Ｃを容器本体３０に詰め替えることができる。この場合、図５に示す他の形態のように、天壁部３に、筒体部４から放射状に伸びる４つの凸部３ｂを設けるのが好ましい。当該凸部３ｂの周方向相互間は、口部３１の上端と接したとき、充填空間Ｓ30を外界に通じさせる空気置換路として機能する。従って、本形態のように、天壁部３に凸部３ｂを設ければ、筒体部４を倒立させた状態で挿し込んで、内容液Ｃを詰め替える場合に有効である。なお、凸部３は、少なくとも１箇所に設ければよく、また、凸部３は、凹部に置き換えても同様の効果を奏する。
【００２７】
また、図６は、本体容器３０の適用例であり、本体容器３０には、液体噴出器４０が取り付けられている。液体噴出器４０は、口部３１に固定されるベース４１を有し、ステム４２を介してヘッド４３が設けられた既存のポンプであり、ヘッド４３に設けられたノズル４４を通して詰め替えられた内容液Ｃを取り出すことができる。なお、符号５０は、ステム４２に対して着脱可能に取り付けられたストッパであり、ステム４２に対して着脱可能に嵌合保持される本体５１と本体５１を着脱させるための把持部５２を一体に備える。
【００２８】
上述のように、本発明では、筒体部４の先端側に形成された開口部を、内容液Ｃの注出口Ａ1と、空気置換孔Ａ2とに仕切る仕切壁４ａを設けたことで、筒体部４の内側に形成された通路Ｒを通して内容液Ｃを取り出すとき、当該通路Ｒ内での空気置換を容易に行うことできる。このため、本発明によれば、容器２０を傾けて内容液Ｃを取り出すときは勿論、容器２０ごと倒立させた状態で内容液Ｃを取り出すときも、内容液Ｃが大きく脈動しないため、吹き零れも生じ難くなる。
【００２９】
加えて、開封部材５は、注出口Ａ1を密封する封止栓５ａと、空気置換孔Ａ2を密封する封止栓５ｂとを、操作片５ｃを備えるリブ５ｄを介して一体に連結したものであることから、使用者が操作片５ｃを引っ張る等の操作を行うだけの簡単な操作により、注出口Ａ1とともに空気置換孔Ａ2を容易に開封することができる。
【００３０】
従って、本発明によれば、筒体部４の内側に形成された通路Ｒを通して内容液Ｃを取り出すときに、当該通路Ｒ内での空気置換を容易に行うことができるとともに、注出口Ａ1及び空気置換孔Ａ2の開封が容易な新規の注出キャップを提供することができる。
【００３１】
また、本形態のように、仕切壁４ａを筒体部４に段差４ｂを形成するものであって、当該段差４ｂに、空気置換孔Ａ2を配置するようにすれば、注出口Ａ1と空気置換孔Ａ2とを段違いにさせたことで、筒体部４の内側に形成された通路Ｒを通して内容液Ｃを取り出すとき、当該通路Ｒ内での空気置換を更に容易に行うことできる。また、空気置換孔Ａ2を段差４ｂに配置したことで、内容液Ｃの注出路を広く確保して流量を増やしつつも、空気を確実に置換させることができる。
【００３２】
更に、本形態のように、開封部材５を、仕切壁４ａを挟んで掛け渡されるようにリブ５ｄを設ければ、仕切壁４ａの先端を基点に開封部材５を引き上げるという簡単な操作で、空気置換孔Ａ2を密封する封止栓５ｂをその引き上げにより取り外すことができるとともに、注出口Ａ1を密封する封止栓５ａをその押し下げにより取り外すことができる。
【００３３】
また、本形態のように、注出口Ａ1を、筒体部４の端面４ｅが空気置換孔Ａ2から当該筒体部４の先端４ｔに向かって傾斜する傾斜面に形成すれば、先端４ｔ側を下向きにすることで内容液Ｃを取り出すときの案内となる。
【００３４】
上述したところは、本発明の一形態を示したにすぎず、特許請求の範囲において、種々の変更を加えることができる。例えば、固定部２は、その内側に係合リブ２ａを有し、この係合リブ２ａが口部２１に設けられた係合リブ２１ａと嵌合することで、固定保持されるものであるが、容器口部２１に螺着させることもできる。但し、この場合には、容器口部２１に螺着させたのち、軸線Ｏ周りの回転を阻止する回り止め手段を設けることが好ましい。回り止め手段としては、例えば、口部２１に突起を設けるとともに、この突起を乗り越えて互いの相互間で挟持する２つの突起を固定部２の内側に設ける。これにより、口部２１に螺着させたのち、注出キャップ１が軸線Ｏ周りに回転することを阻止できる。
【００３５】
また、詰め替え容器２０は、保形性を有して変形し難いハードタイプの容器は勿論、変形及び復元の可能な可撓性を有するソフトタイプの容器、或いは、内層と外層の二層を有し内層が外層に対して剥離可能な剥離容器など、様々な容器に適用することができる。更に、本発明に従えば、各形態の構成要素は、各形態の相互間で転用することができる。
【産業上の利用可能性】
【００３６】
本発明は、容器の口部に固定される固定筒と、容器の口部上端に配置されるとともに固定筒に一体に設けられた天壁部と、当該天壁部から一体に起立してその内側に容器に通じる通路を形成する筒体部とを備える注出キャップであれば、様々なものに適用することができる。また、内容物も液体に限定されることなく、粉体等の流動体に適用できる。
【符号の説明】
【００３７】
１    注出キャップ
２    固定部
３    天壁部
３ｂ  凸部
４    筒体部
４ａ  仕切壁
４ｂ  段差
４ｅ  端面
５    開封部材
５ａ  注出口密封栓
５ｂ  空気置換孔密封栓
５ｃ  操作片
５ｄ  リブ
２０  詰め替え容器
２１  容器口部
３０  本体容器
３１  容器口部
Ａ1   注出口
Ａ2   空気置換孔
Ｒ    通路
【図１】
0005806051.tif 000002
【図２】
0005806051.tif 000003
【図３】
0005806051.tif 000004
【図４】
0005806051.tif 000005
【図５】
0005806051.tif 000006
【図６】
0005806051.tif 000007